(57)【要約】  分配型送信において適切なフロー制御を迅速に実現するための技術を提供することである。本発明の一態様は、複数の基地局からユーザ装置に送信対象のパケットを分割送信する分配型送信における分配元基地局として機能する基地局であって、前記分配型送信における分配先基地局の無線環境情報を取得するフィードバック情報取得部と、前記無線環境情報に従って前記分配型送信を制御する通信制御部とを有する基地局に関する。
2017175823.tif 000002
【特許請求の範囲】
【請求項１】
複数の基地局からユーザ装置に送信対象のパケットを分割送信する分配型送信における分配元基地局として機能する基地局であって、
前記分配型送信における分配先基地局の無線環境情報を取得するフィードバック情報取得部と、
前記無線環境情報に従って前記分配型送信を制御する通信制御部と、
を有する基地局。
【請求項２】
前記通信制御部は、前記取得した無線環境情報に従って前記分配元基地局と前記分配先基地局との間における前記送信対象のパケットの分割比率を調整する、請求項１記載の基地局。
【請求項３】
前記フィードバック情報取得部は、前記分配先基地局と前記ユーザ装置との間の無線通信の品質情報を前記分配先基地局から受信する、請求項１又は２記載の基地局。
【請求項４】
前記フィードバック情報取得部は、前記分配先基地局と前記ユーザ装置との間の無線通信の品質情報を前記ユーザ装置から受信する、請求項１又は２記載の基地局。
【請求項５】
前記分配先基地局のセルが非アクティブ状態であるとき、前記フィードバック情報取得部は、前記ユーザ装置から所定の品質値を受信する、請求項４記載の基地局。
【請求項６】
前記フィードバック情報取得部は、報告対象のセル数に応じた報告頻度で前記ユーザ装置から前記分配先基地局のセルの品質情報を受信する、請求項４記載の基地局。
【請求項７】
基地局との無線通信の通信品質を測定する測定部と、
前記測定した通信品質を前記基地局に報告する報告部と、
を有するユーザ装置であって、
前記測定部は、分配型送信において送信対象のパケットを前記ユーザ装置に送信する基地局との無線通信の通信品質を測定し、
前記報告部は、前記分配型送信における分配先基地局の通信品質を分配元基地局に報告するユーザ装置。
【請求項８】
前記分配先基地局のセルが非アクティブ状態であるとき、前記報告部は、前記分配元基地局に所定の品質値を送信する、請求項７記載のユーザ装置。
【請求項９】
前記報告部は、報告対象のセル数に応じた報告頻度で前記分配先基地局のセルの品質情報を前記分配元基地局に送信する、請求項７記載のユーザ装置。
【請求項１０】
複数の基地局からユーザ装置に送信対象のパケットを分割送信する分配型送信における分配元基地局により実行される送信制御方法であって、
前記分配型送信における分配先基地局の無線環境情報を取得するステップと、
前記無線環境情報に従って前記分配型送信を制御するステップと、
を有する方法。
【発明の詳細な説明】
【技術分野】
【０００１】
本発明は、無線通信システムに関する。
【背景技術】
【０００２】
ＬＴＥ（Ｌｏｎｇ  Ｔｅｒｍ  Ｅｖｏｌｕｔｉｏｎ）システムの次世代の通信規格として策定されたＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入された。キャリアアグリゲーションでは、ＬＴＥシステムによりサポートされている２０ＭＨｚの最大帯域幅を有するコンポーネントキャリア（Ｃｏｍｐｏｎｅｎｔ  Ｃａｒｒｉｅｒ：ＣＣ）が基本コンポーネントとして利用され、これら複数のコンポーネントキャリアを同時に用いることによって、より広帯域な通信を実現することが図られている。【０００３】
キャリアアグリゲーションでは、ユーザ装置（Ｕｓｅｒ  Ｅｑｕｉｐｍｅｎｔ：ＵＥ）は、複数のコンポーネントキャリアを同時に用いて基地局（ｅｖｏｌｖｅｄ  ＮｏｄｅＢ：ｅＮＢ）と通信することが可能である。キャリアアグリゲーションでは、ユーザ装置との接続性を担保する信頼性の高いプライマリセル（Ｐｒｉｍａｒｙ  Ｃｅｌｌ：ＰＣｅｌｌ）又はマスタセルグループ（ＭＣＧ）と、プライマリセルに接続中のユーザ装置に追加的に設定されるセカンダリセル（Ｓｅｃｏｎｄａｒｙ  Ｃｅｌｌ：ＳＣｅｌｌ）又はセカンダリセルグループ（ＳＣＧ）とが設定される。【０００４】
プライマリセル又はマスタセルグループは、ＬＴＥシステムのサービングセルと同様のセルであり、ユーザ装置とネットワークとの間の接続性を担保するためのセルである。他方、セカンダリセル又はセカンダリセルグループは、プライマリセルに追加されてユーザ装置に設定されるセル又はセルグループである。【０００５】
ＬＴＥ  Ｒｅｌｅａｓｅ  １０（Ｒｅｌ−１０）までのキャリアアグリゲーションでは、図１の左図に示されるように、ユーザ装置が同一の基地局により提供される複数のコンポーネントキャリアを用いて同時通信することが規定されている。一方、Ｒｅｌ−１２では、Ｒｅｌ−１０のキャリアアグリゲーションがさらに拡張され、図１の右図に示されるように、ユーザ装置が複数の基地局により提供される複数のコンポーネントキャリアを用いて同時通信するデュアルコネクティビティ（Ｄｕａｌ  Ｃｏｎｎｅｃｔｉｖｉｔｙ：ＤＣ）が導入されている。例えば、全てのコンポーネントキャリアを単一の基地局内に収容できない場合、Ｒｅｌ−１０と同程度のスループットを実現するためには、デュアルコネクティビティが効果的に利用されると考えられる。【０００６】
このようなデュアルコネクティビティにおいて、スプリットベアラ（Ｓｐｌｉｔ  Ｂｅａｒｅｒ）が設定される。マスタ基地局又はマクロ基地局（ＭｅＮＢ）がベアラを分配するアンカーノードとして利用される場合、図２に示されるように、マスタ基地局は、Ｓ−ＧＷ（Ｓｅｒｖｉｎｇ  Ｇａｔｅｗａｙ）から受信したダウンリンクパケットを、自らのセルを介しユーザ装置に送信するパケットとセカンダリ基地局（ＳｅＮＢ）を経由してユーザ装置に送信するパケットとに分配する。【０００７】
マスタ基地局をアンカーノードとしたスプリットベアラが設定される場合、図３に示されるように、ユーザ装置は、マスタ基地局のための物理レイヤ（ＰＨＹ）、ＭＡＣ（Ｍｅｄｉｕｍ  Ａｃｃｅｓｓ  Ｃｏｎｔｒｏｌ）レイヤ（ｍ−ＭＡＣ）及びＲＬＣ（Ｒａｄｉｏ  Ｌｉｎｋ  Ｃｏｎｔｒｏｌ）レイヤ（ｍ−ＲＬＣ）と、セカンダリ基地局のためのＰＨＹレイヤ、ｓ−ＭＡＣレイヤ及びｓ−ＲＬＣレイヤと、ｍ−ＲＬＣレイヤ及びｓ−ＲＬＣレイヤに接続されるＰＤＣＰ（Ｐａｃｋｅｔ  Ｄａｔａ  Ｃｏｎｖｅｒｇｅｎｃｅ  Ｐｒｏｔｏｃｏｌ）レイヤとを有する。マスタ基地局から受信したパケットとセカンダリ基地局から受信したパケットとは、ＰＤＣＰレイヤにおいてリオーダリングされ、上位レイヤに送出される。このように、スプリットベアラでは、受信側のＰＤＣＰレイヤが、ｍ−ＲＬＣレイヤとｓ−ＲＬＣレイヤとの双方から受信したＲＬＣ  ＳＤＵ（Ｓｅｒｖｉｃｅ  Ｄａｔａ  Ｕｎｉｔ）をリオーダリングする。【０００８】
スプリットベアラなどの分配型送信によりスループットを向上させるためには、各基地局において適切な量のダウンリンクデータが滞留する必要がある。例えば、各基地局に滞留するダウンリンクデータが少なすぎると、データ枯渇によりスケジューリング機会の損失が発生して当該基地局におけるスループットの向上を見込むことができなくなる。他方、各基地局に滞留するダウンリンクデータが多すぎると、ユーザ装置側でリオーダリング待ちのパケット数が増加してＴＣＰ  ＲＴＯ（Ｔｒａｎｓｍｉｓｓｉｏｎ  Ｃｏｎｔｒｏｌ  Ｐｒｏｔｏｃｏｌ  Ｒｅｔｒａｎｓｍｉｓｓｉｏｎ  Ｔｉｍｅｏｕｔ）になりうる。【０００９】
典型的なスプリットベアラでは、マスタ基地局がこのようなフロー制御機能を担うことになり、マスタセルグループ（ＭＣＧ）とセカンダリセルグループ（ＳＣＧ）とにおけるデータレートに基づきＭＣＧから送信するデータとＳＣＧから送信するデータとを適切に分配する。当該フロー制御機能を実現するため、３ＧＰＰでは、マスタ基地局とセカンダリ基地局との間のＸ２インタフェースにおいて、フロー制御機構用のインタフェースが規定されている（３ＧＰＰ  ＴＳ３６．４２５）。【００１０】
当該フロー制御機構によると、図４に示されるように、ステップＳ１１において、マスタ基地局は、セカンダリ基地局にダウンリンクデータを転送する。なお、図４では、説明の簡単化のため、マスタ基地局からユーザ装置へのデータ送信は図示していない。ステップＳ１２において、セカンダリ基地局は、転送されたデータをユーザ装置に送信する。ステップＳ１３において、セカンダリ基地局は、ダウンリンクデータに対する送達確認（ＡＣＫ）をユーザ装置から受信する。ステップＳ１４において、セカンダリ基地局は、ＡＣＫ情報をマスタ基地局に送信する。具体的には、セカンダリ基地局は、順序通りに送信完了した最新のＰＤＣＰ  ＰＤＵ（Ｐａｃｋｅｔ  Ｄａｔａ  Ｕｎｉｔ）のＰＤＣＰシーケンス番号（ＳＮ）をマスタ基地局に通知する。ステップＳ１５において、マスタ基地局は、転送したデータ量と受信したＡＣＫ情報量とに基づきセカンダリ基地局の送信完了状況を判断し、当該送信完了状況に基づきセカンダリ基地局に転送するデータ量を決定する。その後、ステップＳ１１〜Ｓ１５が繰り返される。
【先行技術文献】
【非特許文献】
【００１１】
【非特許文献１】３ＧＰＰ  ＴＳ  ３６．４２５  Ｖ１．０．０（２０１４−１２）
【発明の概要】
【発明が解決しようとする課題】
【００１２】
このようなフロー制御機構によると、マスタ基地局は、ある程度のデータをセカンダリ基地局に転送し、セカンダリ基地局からのフィードバック情報を受信した後に、適切な転送データ量を決定できる。すなわち、従来のフロー制御機構は、セカンダリ基地局からのＡＣＫ情報に基づきデータを配分する。このため、マスタ基地局が適切なデータ転送量、すなわち、データ分割比率を決定するにはある程度の時間を必要とし、フロー制御の収束に時間がかかり、パフォーマンスの観点から望ましくない。【００１３】
上述した問題点に鑑み、本発明の課題は、分配型送信において適切なフロー制御を迅速に実現するための技術を提供することである。
【課題を解決するための手段】
【００１４】
上記課題を鑑み、本発明の一態様は、複数の基地局からユーザ装置に送信対象のパケットを分割送信する分配型送信における分配元基地局として機能する基地局であって、前記分配型送信における分配先基地局の無線環境情報を取得するフィードバック情報取得部と、前記無線環境情報に従って前記分配型送信を制御する通信制御部とを有する基地局に関する。【００１５】
本発明の他の態様は、基地局との無線通信の通信品質を測定する測定部と、前記測定した通信品質を前記基地局に報告する報告部とを有するユーザ装置であって、前記測定部は、分配型送信において送信対象のパケットを前記ユーザ装置に送信する基地局との無線通信の通信品質を測定し、前記報告部は、前記分配型送信における分配先基地局の通信品質を分配元基地局に報告するユーザ装置に関する。【００１６】
本発明の更なる他の態様は、複数の基地局からユーザ装置に送信対象のパケットを分割送信する分配型送信における分配元基地局により実行される送信制御方法であって、前記分配型送信における分配先基地局の無線環境情報を取得するステップと、前記無線環境情報に従って前記分配型送信を制御するステップとを有する方法に関する。
【発明の効果】
【００１７】
本発明によると、分配型送信において適切なフロー制御を迅速に実現することができる。
【図面の簡単な説明】
【００１８】
【図１】図１は、キャリアアグリゲーションを示す概略図である。
【図２】図２は、マクロ基地局をアンカーノードとするスプリットベアラを示す概略図である。
【図３】図３は、スプリットベアラ設定時のダウンリンク通信のためのレイヤ構成を示す概略図である。
【図４】図４は、スプリットベアラにおける従来のフロー制御を示す概略図である。
【図５】図５は、本発明の一実施例による無線通信システムを示す概略図である。
【図６】図６は、本発明の一実施例による基地局のハードウェア構成を示すブロック図である。
【図７】図７は、本発明の一実施例によるユーザ装置のハードウェア構成を示すブロック図である。
【図８】図８は、本発明の一実施例によるアンカー基地局の機能構成を示すブロック図である。
【図９】図９は、本発明の一実施例によるユーザ装置からの品質報告処理を示す図である。
【図１０】図１０は、本発明の一実施例によるユーザ装置からの品質報告処理を示す図である。
【図１１】図１１は、本発明の一実施例によるユーザ装置の機能構成を示すブロック図である。
【図１２】図１２は、本発明の一実施例によるアンカー基地局における送信制御処理を示すフロー図である。
【図１３】図１３は、本発明の一実施例によるユーザ装置及び基地局のハードウェア構成を示すブロック図である。
【発明を実施するための形態】
【００１９】
以下、図面に基づいて本発明の実施の形態を説明する。
【００２０】
以下の実施例では、デュアルコネクティビティなどの分配型送信をサポートするユーザ装置及び基地局が開示される。後述される実施例を概略すると、分配型送信において、分配元基地局は、分配先基地局とユーザ装置との間の無線通信の品質情報等の無線環境情報を取得し、取得した無線環境情報に基づき分配先基地局へのデータ転送量を調整するなど分配型送信を制御する。ここで、当該無線環境情報は、分配先基地局又はユーザ装置から分配元基地局に通知される。また、ユーザ装置は、分配型送信において、分配先基地局とユーザ装置との間の無線通信の品質情報を測定し、測定した品質情報を分配元基地局に送信する。
【００２１】
これにより、分配先基地局におけるユーザ装置への送信完了状況に基づきデータ転送量を調整する従来方式と比較して、分配元基地局は、分配先基地局へのデータ転送量をより迅速に制御できる。なお、以下の実施例は、デュアルコネクティビティに関して説明されるが、本発明は、これに限定されるものでなく、複数の基地局からユーザ装置に送信対象のパケットを分割送信する何れの分割送信方式にも適用可能である。
【００２２】
図５を参照して、本発明の一実施例による無線通信システムを説明する。図５は、本発明の一実施例による無線通信システムを示す概略図である。
【００２３】
図５に示されるように、無線通信システム１０は、マスタ基地局１００、セカンダリ基地局２００及びユーザ装置３００を有する。無線通信システム１０は、例えば、ＬＴＥ−Ａｄｖａｎｃｅｄシステム又は５Ｇシステムなどの３ＧＰＰ（３ｒｄ  Ｇｅｎｅｒａｔｉｏｎ  Ｐａｒｔｎｅｒｓｈｉｐ  Ｐｒｏｊｅｃｔ）による規格に準拠した無線通信システムであってもよい。無線通信システム１０は、ユーザ装置３００がマスタ基地局（ＭｅＮＢ）１００及びセカンダリ基地局（ＳｅＮＢ）２００によりそれぞれ提供されるマスタセルグループ（ＭＣＧ）及びセカンダリセルグループ（ＳＣＧ）を用いて同時通信するデュアルコネクティビティをサポートする。しかしながら、本発明による無線通信システム１０は、これに限定されず、複数の無線局からユーザ装置に送信対象のパケットを分割送信する分配型送信をサポートする何れの無線通信システムにも適用可能である。図示された実施例では、２つの基地局１００，２００しか示されていないが、一般には、無線通信システム１０のサービスエリアをカバーするよう多数の基地局１００，２００が配置される。
【００２４】
基地局１００，２００は、ユーザ装置３００と無線接続することによって、コアネットワーク（図示せず）上に通信接続された上位局及び／又はサーバなどのネットワーク装置から受信したダウンリンク（ＤＬ）パケットをユーザ装置３００に送信すると共に、ユーザ装置３００から受信したアップリンク（ＵＬ）パケットをネットワーク装置に送信する。図示された実施例では、基地局１００がマスタ基地局（ＭｅＮＢ）又はプライマリ基地局として機能し、基地局２００がセカンダリ基地局（ＳｅＮＢ）として機能する。典型的なデュアルコネクティビティでは、マスタ基地局１００が、ユーザ装置３００と基地局１００，２００との間のデュアルコネクティビティにおけるフロー制御を含む同時通信を制御するアンカー基地局として機能し、上位のコアネットワーク（図示せず）との間の通信を制御する。しかしながら、本発明は、これに限定されず、セカンダリ基地局がアンカー基地局として機能し、後述される分配型送信におけるフロー制御を実現してもよい。
【００２５】
図６に示されるように、基地局１００は、ＲＦモジュール１１、ベースバンド（ＢＢ）処理モジュール１２、装置制御モジュール１３、Ｘ２インタフェース（ＩＦ）１４及びＳ１インタフェース（ＩＦ）１５を有する。
【００２６】
ＲＦモジュール１１は、ＲＦ機能を実現し、ベースバンド処理モジュール１２から受信したデジタルベースバンド信号に対して、Ｄ／Ａ（Ｄｉｇｉｔａｌ−ｔｏ−Ａｎａｌｏｇ）変換、変調、周波数変換、及び電力増幅等を行うことでアンテナから送信すべき無線信号を生成する。また、ＲＦモジュール１１は、受信した無線信号に対して、周波数変換、Ａ／Ｄ（Ａｎａｌｏｇ−ｔｏ−Ｄｉｇｉｔａｌ）変換、復調等を行うことでデジタルベースバンド信号を生成し、ベースバンド処理モジュール１２にわたす。
【００２７】
ベースバンド処理モジュール１２は、ＲＦモジュール１１との間で送受信されるデジタルベースバンド信号と装置制御モジュール１３との間で送受信される信号とを相互変換する。ベースバンド処理モジュール１２は、当該相互変換を含む信号処理を実行するＤＳＰ（Ｄｉｇｉｔａｌ  Ｓｉｇｎａｌ  Ｐｒｏｃｅｓｓｏｒ）１６と、ＤＳＰ１６のためのメモリ１７とを有する。
【００２８】
装置制御モジュール１３は、後述されるような各種情報の生成、抽出、処理等の基地局１００における各種処理を実行する。装置制御モジュール１３は、装置制御モジュール１３における処理を実行するプロセッサ１８、プロセッサ１８のためのメモリ１９及び基地局１００が動作するための各種プログラム及びデータ等を格納するための補助記憶装置２０を有する。
【００２９】
Ｘ２インタフェース１４は、他の基地局２００と通信接続するためのインタフェースであり、基地局１００と基地局２００とを接続する物理回線と接続する。
【００３０】
Ｓ１インタフェース１５は、コアネットワークと接続するためのインタフェースであり、基地局１００とコアネットワークとを接続する物理回線と接続する。
【００３１】
なお、基地局２００もまた基地局１００と同様のハードウェア構成により構成されうる。しかしながら、基地局１００，２００は、上述したハードウェア構成に限定されず、他の何れか適切なハードウェア構成を有してもよい。
【００３２】
ユーザ装置３００は、複数の基地局１００，２００と同時通信するデュアルコネクティビティをサポートする。ユーザ装置３００は、基地局１００，２００により提供されるセルを介し基地局１００，２００と無線信号を送受信する。典型的には、ユーザ装置３００は、スマートフォン、携帯電話、タブレット、モバイルルータ、ウェアラブル端末などの無線通信機能を備えた何れか適切な情報処理装置であってもよい。
【００３３】
図７に示されるように、ユーザ装置３００は、ＣＰＵ（Ｃｅｎｔｒａｌ  Ｐｒｏｃｅｓｓｉｎｇ  Ｕｎｉｔ）として機能するプロセッサ３１、ＲＡＭ（Ｒａｎｄｏｍ  Ａｃｃｅｓｓ  Ｍｅｍｏｒｙ）及び／又はフラッシュメモリなどのメモリ３２、基地局１００，２００との間で無線信号を送受信するための通信回路３３、入出力装置及び／又は周辺装置などのユーザインタフェース３４などのハードウェアリソースから構成される。例えば、後述されるユーザ装置３００の各機能及び処理は、メモリ３２に格納されているデータ及び／又はプログラムをプロセッサ３１が処理又は実行することによって実現されてもよい。しかしながら、ユーザ装置３００は、上述したハードウェア構成に限定されず、後述する処理の１つ以上を実現する回路などにより構成されてもよい。
【００３４】
次に、図８〜１０を参照して、本発明の一実施例によるデュアルコネクティビティにおけるアンカー基地局を説明する。以下の実施例では、マスタ基地局１００とセカンダリ基地局２００とが連係してユーザ装置３００とデュアルコネクティビティによるダウンリンク送信を実行する。説明の便宜上、マスタ基地局１００がデュアルコネクティビティにおけるフロー制御を実行するアンカー基地局として機能し、セカンダリ基地局２００がアンカー基地局により転送されたデータを受信する非アンカー基地局として機能する。しかしながら、本発明は、これに限定されず、セカンダリ基地局２００がアンカー基地局として機能し、マスタ基地局１００が非アンカー基地局として機能してもよい。また、本発明は、デュアルコネクティビティに限定されず、複数の基地局１００，２００からユーザ装置３００に送信対象のパケットを分割送信する何れの分配型送信にも適用可能である。この場合、送信対象のパケットを分割し、他の基地局にパケットを転送する基地局は分配元基地局であり、分配元基地局から転送されたパケットを受信する基地局は分配先基地局となる。
【００３５】
図８は、本発明の一実施例によるアンカー基地局の機能構成を示すブロック図である。本実施例では、マスタ基地局１００が、デュアルコネクティビティにおけるフロー制御を実行するアンカー基地局又は分配元基地局として機能し、セカンダリ基地局２００が、マスタ基地局１００から転送されたパケットを受信する非アンカー基地局又は分配先基地局として機能する。図８に示されるように、マスタ基地局１００は、フィードバック情報取得部１１０及び通信制御部１２０を有する。
【００３６】
フィードバック情報取得部１１０は、セカンダリ基地局２００の無線環境情報を取得する。具体的には、フィードバック情報取得部１１０は、デュアルコネクティビティにおけるセカンダリ基地局２００とユーザ装置３００との間の無線通信の品質情報（ＣＳＩ（Ｃｈａｎｎｅｌ  Ｓｔａｔｅ  Ｉｎｆｏｒｍａｔｉｏｎ）など）を示すアップリンク制御情報（ＵＣＩ）等を無線環境情報として取得する。以下で詳細に説明されるように、当該無線環境情報は、セカンダリ基地局２００から取得されてもよいし、あるいは、ユーザ装置３００から取得されてもよい。
【００３７】
通信制御部１２０は、無線環境情報に従って分配型送信を制御する。具体的には、通信制御部１２０は、セカンダリ基地局２００とユーザ装置３００との間の無線通信の品質情報等の無線環境情報に従って、セカンダリ基地局２００に転送されるデータ量を制御する。例えば、セカンダリ基地局２００とユーザ装置３００との間の無線通信がマスタ基地局１００とユーザ装置３００との間の無線通信より良好である場合、通信制御部１２０は、セカンダリ基地局２００に転送するデータ量を増加させてもよい。他方、セカンダリ基地局２００とユーザ装置３００との間の無線通信がマスタ基地局１００とユーザ装置３００との間の無線通信より良好でない場合、通信制御部１２０は、セカンダリ基地局２００に転送するデータ量を減少させてもよい。
【００３８】
このようにして、従来方式のようにセカンダリ基地局２００におけるユーザ装置への送信完了状況の報告を待つことなく、マスタ基地局１００は、送信環境状況よりも相対的に迅速な取得が可能な無線環境情報を利用して、デュアルコネクティビティにおけるフロー制御を適切且つ迅速に実現することができる。
【００３９】
一実施例では、通信制御部１２０は、取得した無線環境情報に従ってマスタ基地局１００とセカンダリ基地局２００との間における送信対象のパケットの分割比率を調整してもよい。すなわち、通信制御部１２０は、送信対象のパケットの基地局１００，２００間の分割比率を調整することによって、セカンダリ基地局２００に転送されるデータ量を制御する。例えば、セカンダリ基地局２００とユーザ装置３００との間の無線通信がマスタ基地局１００とユーザ装置３００との間の無線通信より良好である場合、通信制御部１２０は、セカンダリ基地局２００の重み付けが高くなるように分割比率を調整してもよい。他方、セカンダリ基地局２００とユーザ装置３００との間の無線通信がマスタ基地局１００とユーザ装置３００との間の無線通信より良好でない場合、通信制御部１２０は、セカンダリ基地局２００の重み付けが低くなるように分割比率を調整してもよい。
【００４０】
上述したように、当該無線環境情報は、セカンダリ基地局２００から取得されてもよいし、あるいは、ユーザ装置３００から取得されてもよい。前者のケースでは、フィードバック情報取得部１１０は、セカンダリ基地局２００とユーザ装置３００との間の無線通信の品質情報を当該セカンダリ基地局２００から受信する。他方、後者のケースでは、フィードバック情報取得部１１０は、セカンダリ基地局２００とユーザ装置３００との間の無線通信の品質情報をユーザ装置３００から受信する。
【００４１】
まず、無線環境情報がセカンダリ基地局２００から取得されるケースを説明する。この場合、セカンダリ基地局２００は、デュアルコネクティビティが設定されるユーザ装置３００に対して測定した品質情報をマスタ基地局１００に送信する。当該品質情報は、例えば、各セカンダリセルのＣＳＩなどのアップリンク制御情報（ＵＣＩ）であってもよく、当該ＣＳＩは、ＣＱＩ（Ｃｈａｎｎｅｌ  Ｑｕａｌｉｔｙ  Ｉｎｄｉｃａｔｏｒ、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）等を含むものであってもよい。また、品質情報は、ＳＲＳ（Ｓｏｕｎｄｉｎｇ  Ｒｅｆｅｒｅｎｃｅ  Ｓｉｇｎａｌ）の受信品質、ＳＩＮＲ（Ｓｉｇｎａｌ−ｔｏ−Ｉｎｔｅｒｆｅｒｅｎｃｅ−Ｎｏｉｓｅ  Ｒａｔｉｏ）、ＢＬＥＲ（Ｂｌｏｃｋ  Ｅｒｒｏｒ  Ｒａｔｅ）等であってもよい。
【００４２】
また、セカンダリ基地局２００は、上述した品質情報と併せて、ユーザ装置３００の識別子、当該品質情報がダウンリンクとアップリンクとの何れに関するものであるか、セル情報、測定時刻等をマスタ基地局１００に通知してもよい。ここで、ユーザ装置３００の識別子は、マスタ基地局１００におけるＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）又はセカンダリ基地局２００におけるＣ−ＲＮＴＩの何れであってもよい。また、セル情報は、周波数、ＰＣＩ（Ｐｈｙｓｉｃａｌ  Ｃｅｌｌ  Ｉｄｅｎｔｉｔｙ）、ＣｅｌｌＩｎｄｅｘ、ＳＣｅｌｌＩｎｄｅｘ、測定帯域、測定周波数等であってもよく、測定時刻は、Ｈ−ＳＦＮ（Ｈｙｐｅｒ−Ｓｙｓｔｅｍ  Ｆｒａｍｅ  Ｎｕｍｂｅｒ）、ＳＦＮ、サブフレーム番号等であってもよい。
【００４３】
また、当該品質情報は、セカンダリ基地局２００から周期的に通知されてもよいし、あるいは、マスタ基地局１００からのリクエスト（ｐｏｌｌｉｎｇ）に応答して報告されてもよい。また、フィードバック情報取得部１１０は、品質情報の送信開始及び／又は停止をセカンダリ基地局２００に通知してもよい。
【００４４】
なお、セカンダリ基地局２００において通信品質の有効な測定結果が取得できなかった場合、セカンダリ基地局２００は、品質情報を通知しなくてもよいし、あるいは、「結果がない」ことを示す通知をマスタ基地局１００に送信してもよい。また、品質情報の測定値は、瞬時値であってもよいし、あるいは、ある時間における平均値であってもよい。また、取得した測定値が前回報告された測定値から所定の値以上の差分がある場合に限って、セカンダリ基地局２００は、取得した測定値又は当該差分をマスタ基地局１００に通知してもよい。
【００４５】
また、従来のデュアルコネクティビティでは、制御情報を示すＳＲＢ（Ｓｉｇｎａｌｉｎｇ  Ｒａｄｉｏ  Ｂｅａｒｅｒ）データはマスタ基地局１００とユーザ装置３００との間でのみ送受信されため、ユーザ装置３００のメジャメントレポートは、ユーザ装置３００からマスタ基地局１００に送信される。しかしながら、セカンダリ基地局２００とユーザ装置３００との間でもＳＲＢデータの送受信がサポートされる場合、セカンダリ基地局２００は、ユーザ装置３００から受信したメジャメントレポートをマスタ基地局１００に転送してもよい。
【００４６】
あるいは、セカンダリ基地局２００は、上述した品質情報の代わりに又は加えて、ユーザ装置３００に割当て可能なトランスポートブロックサイズ（ＴＢＳ）又はＴＢＳを算出するのに必要な情報（例えば、割当て可能なリソースブロック数）を無線環境情報としてマスタ基地局１００に通知してもよい。
【００４７】
また、セカンダリ基地局２００は、上述した品質情報と併せて、セカンダリ基地局２００により提供されるコンポーネントキャリア（ＣＣ）又はセルの混雑情報をマスタ基地局１００に通知してもよい。
【００４８】
また、報告対象のＣＣ又はセルは限定されてもよい。すなわち、フィードバック情報取得部１１０が報告対象のＣＣ又はセルを決定し、決定したＣＣ又はセルをセカンダリ基地局２００に通知してもよい。あるいは、セカンダリ基地局２００が報告対象のＣＣ又はセルを決定し、当該ＣＣ又はセルの品質情報をマスタ基地局１００に報告してもよい。
【００４９】
さらに、現状のデュアルコネクティビティでは、ユーザ装置３００が接続可能な基地局数は２個に規定されている。しかしながら、３個以上の基地局とのデュアルコネクティビティがサポートされるようになった場合、何れの基地局がフロー制御を実行するアンカー基地局であるかネットワークから通知されてもよい。これにより、非アンカー基地局は、品質情報を指定されたアンカー基地局に通知することが可能になる。
【００５０】
次に、無線環境情報がユーザ装置３００から取得されるケースを説明する。この場合、ユーザ装置３００は、セカンダリ基地局２００により提供されるＣＣ又はセルのＣＳＩ等を示すアップリンク制御情報（ＵＣＩ）をマスタ基地局１００に送信する。このとき、フィードバック情報取得部１１０は、ユーザ装置３００に対してセカンダリ基地局２００により提供されるＣＣ又はセルのアップリンク制御情報（ｉｎｔｅｒ−ＣＧ  ＵＣＩと呼ぶ）を報告するためのリソースを確保し、当該リソースをユーザ装置３００に通知してもよい。ユーザ装置３００は、通知されたリソースを用いてｉｎｔｅｒ−ＣＧ  ＵＣＩをマスタ基地局１００に通知する。
【００５１】
ここで、キャリアアグリゲーションでは、非アクティブ化（ｄｅａｃｔｉｖａｔｅｄ）されたセカンダリセルに対しては、ＣＳＩは報告されない。このため、マスタ基地局１００がセカンダリセルのアクティブ又は非アクティブ状態を把握していない場合、フィードバック情報取得部１１０は、どのタイミングでセカンダリセルに対するＣＳＩがユーザ装置３００から報告されるかわからず、レートマッチングが適切に実行できないか、あるいは、全てのパターンを常にブラインド復号することが必要となる。このような非アクティブ化されたセカンダリセルに対してＣＳＩが報告されないという問題に対処するため、以下の２つの解決策が考えられる。
【００５２】
第１の解決策として、ユーザ装置３００は、マスタ基地局１００とユーザ装置３００との間でセカンダリセルの状態認識が一致するように品質情報を報告してもよい。具体的には、図９に示されるように、非アクティブ状態のセカンダリセルについて、ユーザ装置３００は、マスタ基地局１００に所定の品質値の品質情報を報告してもよい。すなわち、セカンダリセルが非アクティブ状態であるとき、フィードバック情報取得部１１０は、ユーザ装置３００から所定の品質値を受信することになる。当該所定の品質値は、所定値（図示された例では、"０"）又は無効値（ｏｕｔ−ｏｆ−ｒａｎｇｅ）等であってもよい。当該所定の品質値を受信すると、フィードバック情報取得部１１０は、対応するセカンダリセルが非アクティブ状態にあると判断できる。さらに、非アクティブ状態のセカンダリセルの品質情報が送信されないことによるレートマッチングの問題も回避することができる。
【００５３】
第２の解決策として、ユーザ装置３００は、アクティブ状態のＣＣ又はセカンダリセルの品質情報を報告するためのリソースプーリングを用意し、報告対象のＣＣ又はセカンダリセルの個数に応じて品質情報の報告頻度を調整してもよい。具体的には、図１０に示されるように、アクティブ状態のセカンダリセルのみについて、ユーザ装置３００は、マスタ基地局１００に当該セカンダリセルの品質情報を報告してもよい。図示された例では、当初はＣＣ＃１のみがアクティブ状態であったため、ユーザ装置３００は、マスタ基地局１００にＣＣ＃１の品質情報のみを一定の時間間隔で報告する。その後、非アクティブ状態のＣＣ＃２がアクティブ状態に遷移すると、ユーザ装置３００は、同じ時間間隔でＣＣ＃１とＣＣ＃２との２つの品質情報を報告する。すなわち、報告対象のＣＣの個数が２倍になったため、各ＣＣに対する報告周期もまた２倍になる。これにより、フィードバック情報取得部１１０は、報告対象のセル数に応じた報告頻度でユーザ装置３００からセカンダリ基地局２００のセルの品質情報を受信することになる。
【００５４】
また、ｉｎｔｅｒ−ＣＧ  ＵＣＩの報告対象となるＣＣ又はセルは、特定のＣＣ又はセルに限定されてもよい。当該特定のＣＣ又はセルは、プライマリセル又はセカンダリセルが設定されるセルであってもよく、あるいは、ネットワークから指定されてもよい。さらに、ｉｎｔｅｒ−ＣＧ  ＵＣＩの送信要否は、ネットワークから動的に指示されてもよい。当該指示は、例えば、物理制御チャネル及び／又はＭＡＣ制御信号により送信されてもよい。
【００５５】
また、ユーザ装置３００に必要な送信電力が最大送信電力を超過する場合、ｉｎｔｅｒ−ＣＧ  ＵＣＩ（セカンダリセルのアップリンク制御情報）とｉｎｔｒａ−ＣＧ  ＵＣＩ（プライマリセルのアップリンク制御情報）とについて、ユーザ装置３００の送信電力は、所定の優先度に基づき分配されてもよい。当該所定の優先度は、１）ｉｎｔｒａ−ＣＧ  ＵＣＩ＞ｉｎｔｅｒ−ＣＧ  ＵＣＩ、２）ｉｎｔｒａ−ＣＧ  ＵＣＩ＝ｉｎｔｅｒ−ＣＧ  ＵＣＩ、又は３）ｉｎｔｒａ−ＣＧ  ＵＣＩ＜ｉｎｔｅｒ−ＣＧ  ＵＣＩに分類されうる。ケース１）によると、セルグループ内のリンクアダプテーションが適切に実行できる。ケース２）によると、何れか一方のＵＣＩがフィードバック情報取得部１１０により受信されれば、通信制御部１２０は、当該セルにデータを分配することができる。ケース３）によると、ユーザ装置３００は、接続性を担保するマスタ基地局１００により確実にＣＳＩを受信できる。
【００５６】
また、ｉｎｔｅｒ−ＣＧ  ＵＣＩは、ｉｎｔｒａ−ＣＧ  ＵＣＩと多重されてもよいし、あるいは、独立に送信されてもよい。ｉｎｔｅｒ−ＣＧ  ＵＣＩを多重するか又は独立に送信するかは、ユーザ装置３００の能力及びネットワークからの設定によって決定されてもよい。また、ｉｎｔｅｒ−ＣＧ  ＵＣＩは、報告対象のセルグループ内のアップリンクデータ情報（ＰＵＳＣＨ）と多重されてもよい。また、ｉｎｔｅｒ−ＣＧ  ＵＣＩの送信可否を示す能力情報が、ユーザ装置３００からマスタ基地局１００に通知されてもよい。当該能力情報は、例えば、ユーザ装置単位又はバンドコンビネーション単位で明示的に通知されてもよいし、あるいは、特定のＲＡＴ（Ｒａｄｉｏ  Ａｃｃｅｓｓ  Ｔｅｃｈｎｏｌｏｇｙ）、周波数等に関連付けて暗示的又は間接的に通知されてもよい。
【００５７】
次に、図１１を参照して、本発明の一実施例によるユーザ装置を説明する。図１１は、本発明の一実施例によるユーザ装置の機能構成を示すブロック図である。本実施例によるユーザ装置３００は、アンカー基地局として機能するマスタ基地局１００と、非アンカー基地局として機能するセカンダリ基地局２００とデュアルコネクティビティにより通信する。
【００５８】
図１１に示されるように、ユーザ装置３００は、測定部３１０及び報告部３２０を有する。
【００５９】
測定部３１０は、基地局１００，２００との無線通信の通信品質を測定する。具体的には、測定部３１０は、マスタ基地局１００及びセカンダリ基地局２００により提供される各セルから送信されるＳＲＳなどのリファレンス信号を測定し、ＣＱＩ、ＲＩ、ＰＭＩ、ＰＴＩなどのインジケータを決定する。また、測定部３１０は、リファレンス信号の測定結果に基づき、ＳＲＳの受信品質、ＳＩＮＲ、ＢＬＥＲなどの測定値を決定する。例えば、測定部３１０は、マスタ基地局１００又はセカンダリ基地局２００からの測定指示に応答して、又は定期的に通信品質を測定してもよい。
【００６０】
報告部３２０は、測定した通信品質を基地局１００，２００に報告する。具体的には、報告部３２０は、測定部３１０により測定された通信品質を示すＣＳＩをアップリンク制御情報（ＵＣＩ）によりマスタ基地局１００又はセカンダリ基地局２００に送信してもよい。例えば、アップリンク制御情報を送信するためのリソースは、マスタ基地局１００又はセカンダリ基地局２００により通知されてもよい。
【００６１】
本実施例によるデュアルコネクティビティでは、測定部３１０は、送信対象のパケットをユーザ装置３００に送信するマスタ基地局１００及び／又はセカンダリ基地局２００との無線通信の通信品質を測定し、報告部３２０は、セカンダリ基地局２００の通信品質をマスタ基地局１００に報告する。具体的には、報告部３２０は、セカンダリ基地局２００により提供されるセカンダリセルの通信品質を示すＣＳＩをアップリンク制御情報によりマスタ基地局１００に送信する。例えば、報告部３２０は、マスタ基地局１００により通知されたリソースを用いて、ＣＳＩを含むアップリンク制御情報をマスタ基地局１００に送信してもよい。
【００６２】
また、上述したような非アクティブ化されたセカンダリセルに対してＣＳＩが報告されないという問題に対処するため、報告部３２０は、マスタ基地局１００とユーザ装置３００との間でセカンダリセルの状態認識が一致するように品質情報を報告してもよい。具体的には、図９に示されるように、非アクティブ状態のセカンダリセルについて、報告部３２０は、マスタ基地局１００に所定の品質値の品質情報を報告してもよい。当該所定の品質値は、所定値（図示された例では、"０"）又は無効値（ｏｕｔ−ｏｆ−ｒａｎｇｅ）等であってもよい。あるいは、報告部３２０は、アクティブ状態のＣＣ又はセカンダリセルの品質情報を報告するためのリソースプーリングを用意し、報告対象のＣＣ又はセカンダリセルの個数に応じて品質情報の報告頻度を調整してもよい。具体的には、図１０に示されるように、アクティブ状態のセカンダリセルのみについて、報告部３２０は、マスタ基地局１００に当該セカンダリセルの品質情報を報告してもよい。すなわち、報告部３２０は、報告対象のセル数に応じた報告頻度でセカンダリ基地局２００のセルの品質情報をマスタ基地局１００に報告することになる。
【００６３】
また、報告部３２０は、ｉｎｔｅｒ−ＣＧ  ＵＣＩの報告対象となるＣＣ又はセルを特定のＣＣ又はセルに限定してもよい。当該特定のＣＣ又はセルは、プライマリセル又はセカンダリセルが設定されるセルであってもよく、あるいは、ネットワークから指定されてもよい。さらに、ｉｎｔｅｒ−ＣＧ  ＵＣＩの送信要否は、ネットワークから動的に指示されてもよい。当該指示は、例えば、物理制御チャネル及び／又はＭＡＣ制御信号により送信されてもよい。
【００６４】
また、ユーザ装置３００に必要な送信電力が最大送信電力を超過する場合、ｉｎｔｅｒ−ＣＧ  ＵＣＩ（セカンダリセルのアップリンク制御情報）とｉｎｔｒａ−ＣＧ  ＵＣＩ（プライマリセルのアップリンク制御情報）とについて、報告部３２０は、所定の優先度に基づき送信電力を分配してもよい。当該所定の優先度は、１）ｉｎｔｒａ−ＣＧ  ＵＣＩ＞ｉｎｔｅｒ−ＣＧ  ＵＣＩ、２）ｉｎｔｒａ−ＣＧ  ＵＣＩ＝ｉｎｔｅｒ−ＣＧ  ＵＣＩ、又は３）ｉｎｔｒａ−ＣＧ  ＵＣＩ＜ｉｎｔｅｒ−ＣＧ  ＵＣＩに分類されてもよい。
【００６５】
また、報告部３２０は、ｉｎｔｅｒ−ＣＧ  ＵＣＩをｉｎｔｒａ−ＣＧ  ＵＣＩに多重してもよいし、あるいは、独立に送信してもよい。ｉｎｔｅｒ−ＣＧ  ＵＣＩを多重するか又は独立に送信するかは、ユーザ装置３００の能力及びネットワークからの設定によって決定されてもよい。また、報告部３２０は、ｉｎｔｅｒ−ＣＧ  ＵＣＩを報告対象のセルグループ内のアップリンクデータ情報（ＰＵＳＣＨ）に多重してもよい。また、ｉｎｔｅｒ−ＣＧ  ＵＣＩの送信可否を示す能力情報が、ユーザ装置３００からマスタ基地局１００に通知されてもよい。当該能力情報は、例えば、ユーザ装置単位又はバンドコンビネーション単位で明示的に通知されてもよいし、あるいは、特定のＲＡＴ（Ｒａｄｉｏ  Ａｃｃｅｓｓ  Ｔｅｃｈｎｏｌｏｇｙ）、周波数等に関連付けて暗示的又は間接的に通知されてもよい。
【００６６】
なお、実施例はデュアルコネクティビティに関してユーザ装置３００を説明した。しかしながら、本発明によるユーザ装置３００は、これに限定されず、基地局１００，２００がユーザ装置３００に分割送信をしないケース、あるいは、基地局１００，２００の一方のみからデータを送信するケースにも同様に適用可能である。例えば、ユーザ装置３００は、基地局１００が分割送信を実行せず、基地局１００のセル、ＣＣ又は無線リソースのみを用いて送信を実行するケースにも適用可能である。当該ケースによると、例えば、基地局２００との通信品質が良好でない場合、基地局２００にデータを転送せず、滞留させることで基地局２００のバッファを不要に占有することを回避できる。
【００６７】
次に、図１２を参照して、本発明の一実施例によるアンカー基地局による送信制御処理を説明する。図１２は、本発明の一実施例によるアンカー基地局による送信制御処理を示すフロー図である。本実施例による送信制御処理は、デュアルコネクティビティに関して説明され、マスタ基地局１００がアンカー基地局であり、セカンダリ基地局２００が非アンカー基地局である。
【００６８】
図１２に示されるように、ステップＳ１０１において、マスタ基地局１００が、セカンダリ基地局２００の無線環境情報を取得する。例えば、マスタ基地局１００は、セカンダリ基地局２００から無線環境情報を取得してもよいし、あるいは、ユーザ装置３００から無線環境情報を取得してもよい。当該無線環境情報は、セカンダリ基地局２００とユーザ装置３００との間の無線通信の通信品質を示す品質情報（例えば、ＣＳＩなど）であってもよい。
【００６９】
ステップＳ１０２において、マスタ基地局１００は、無線環境情報に従って分配型送信を制御する。すなわち、マスタ基地局１００は、取得した品質情報に従ってデュアルコネクティビティにおけるフロー制御を実行する。例えば、セカンダリ基地局２００とユーザ装置３００との間の無線通信が良好である場合、マスタ基地局１００は、セカンダリ基地局２００に転送するデータ量を増加させてもよい。他方、セカンダリ基地局２００とユーザ装置３００との間の無線通信が良好でない場合、マスタ基地局１００は、セカンダリ基地局２００に転送するデータ量を減少させてもよい。
【００７０】
デュアルコネクティビティの実行中、マスタ基地局１００は、上述したステップＳ１０１，Ｓ１０２を繰り返し、フロー制御を動的に実行する。
【００７１】
上述した実施例は、デュアルコネクティビティに関して説明されたが、本発明は、これに限定されるものでなく、複数の基地局からユーザ装置に送信対象のパケットを分割送信する何れの分割送信方式にも適用可能である。
【００７２】
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００７３】
例えば、本発明の一実施の形態における基地局１００、２００及びユーザ装置３００は、本発明の無線通信方法の処理を行うコンピュータとして機能してもよい。図１３は、本発明の一実施例による基地局１００、２００及びユーザ装置３００のハードウェア構成を示すブロック図である。上述の基地局１００、２００及びユーザ装置３００は、物理的には、プロセッサ１００１、メモリ１００２、ストレージ１００３、通信装置１００４、入力装置１００５、出力装置１００６、バス１００７などを含むコンピュータ装置として構成されてもよい。
【００７４】
なお、以下の説明では、「装置」という文言は、回路、デバイス、ユニットなどに読み替えることができる。基地局１００、２００及びユーザ装置３００のハードウェア構成は、図に示した各装置を１つ又は複数含むように構成されてもよいし、一部の装置を含まずに構成されてもよい。
【００７５】
基地局１００、２００及びユーザ装置３００における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００７６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述の各構成要素は、プロセッサ１００１で実現されてもよい。
【００７７】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、基地局１００、２００及びユーザ装置３００の各構成要素による処理は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００７８】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００７９】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００８０】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の各構成要素は、通信装置１００４で実現されてもよい。
【００８１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００８２】
また、プロセッサ１００１やメモリ１００２などの各装置は、情報を通信するためのバス１００７で接続される。バス１００７は、単一のバスで構成されてもよいし、装置間で異なるバスで構成されてもよい。
【００８３】
また、基地局１００、２００及びユーザ装置３００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００８４】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００８５】
本明細書で説明した各態様／実施例は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００８６】
本明細書で説明した各態様／実施例の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００８７】
本明細書において基地局１００、２００によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、MMEまたはS-GWなどが考えられるが、これらに限られない)によって行われ得ることは明らかである。上記において基地局以外の他のネットワークノードが１つである場合を例示したが、複数の他のネットワークノードの組み合わせ(例えば、MMEおよびS-GW)であってもよい。
【００８８】
情報等は、上位レイヤ(または下位レイヤ)から下位レイヤ(または上位レイヤ)へ出力され得る。複数のネットワークノードを介して入出力されてもよい。
【００８９】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００９０】
判定は、１ビットで表される値（０か１か）によって行われてもよいし、真偽値（Boolean：trueまたはfalse）によって行われてもよいし、数値の比較（例えば、所定の値との比較）によって行われてもよい。
【００９１】
本明細書で説明した各態様／実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００９２】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００９３】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００９４】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００９５】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００９６】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００９７】
本明細書で使用する「システム」および「ネットワーク」という用語は、互換的に使用される。
【００９８】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００９９】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１００】
基地局は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【０１０１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１０２】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１０３】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１０４】
参照信号は、ＲＳ（Reference Signal）と略称することもでき、適用される標準によってパイロット（Pilot）と呼ばれてもよい。
【０１０５】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０６】
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１０７】
上記の各装置の構成における「手段」を、「部」、「回路」、「デバイス」等に置き換えてもよい。
【０１０８】
「含む(ｉｎｃｌｕｄｅ)」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「または（or）」は、排他的論理和ではないことが意図される。
【０１０９】
無線フレームは時間領域において１つまたは複数のフレームで構成されてもよい。時間領域において１つまたは複数の各フレームはサブフレームと呼ばれてもよい。サブフレームは更に時間領域において１つまたは複数のスロットで構成されてもよい。スロットはさらに時間領域において１つまたは複数のシンボル（ＯＦＤＭシンボル、ＳＣ-ＦＤＭＡシンボル等）で構成されてもよい。無線フレーム、サブフレーム、スロット、およびシンボルは、いずれも信号を伝送する際の時間単位を表す。無線フレーム、サブフレーム、スロット、およびシンボルは、それぞれに対応する別の呼び方であってもよい。例えば、ＬＴＥシステムでは、基地局が各移動局に無線リソース（各移動局において使用することが可能な周波数帯域幅や送信電力等）を割り当てるスケジューリングを行う。スケジューリングの最小時間単位をＴＴＩ（Ｔｒａｎｓｍｉｓｓｉｏｎ  Ｔｉｍｅ  Ｉｎｔｅｒｖａｌ）と呼んでもよい。例えば、1サブフレームをＴＴＩと呼んでもよいし、複数の連続したサブフレームをＴＴＩと呼んでもよいし、１スロットをＴＴＩと呼んでもよい。リソースブロック（ＲＢ）は、時間領域および周波数領域のリソース割当単位であり、周波数領域では１つまたは複数個の連続した副搬送波（ｓｕｂｃａｒｒｉｅｒ）を含んでもよい。また、リソースブロックの時間領域では、１つまたは複数個のシンボルを含んでもよく、１スロット、１サブフレーム、または１ＴＴＩの長さであってもよい。１ＴＴＩ、１サブフレームは、それぞれ１つまたは複数のリソースブロックで構成されてもよい。上述した無線フレームの構造は例示に過ぎず、無線フレームに含まれるサブフレームの数、サブフレームに含まれるスロットの数、スロットに含まれるシンボルおよびリソースブロックの数、および、リソースブロックに含まれるサブキャリアの数は様々に変更することができる。
【０１１０】
以上、本発明の実施例について詳述したが、本発明は上述した特定の実施形態に限定されるものではなく、特許請求の範囲に記載された本発明の要旨の範囲内において、種々の変形・変更が可能である。
【０１１１】
本出願は、２０１６年４月８日に出願した日本国特許出願２０１６−０７８５０５号の優先権の利益に基づき、これを主張するものであり、２０１６−０７８５０５号の全内容を本出願に援用する。
【符号の説明】
【０１１２】
１０  無線通信システム
１００  マスタ基地局
２００  セカンダリ基地局
３００  ユーザ装置
【図１】
2017175823.tif 000003
【図２】
2017175823.tif 000004
【図３】
2017175823.tif 000005
【図４】
2017175823.tif 000006
【図５】
2017175823.tif 000007
【図６】
2017175823.tif 000008
【図７】
2017175823.tif 000009
【図８】
2017175823.tif 000010
【図９】
2017175823.tif 000011
【図１０】
2017175823.tif 000012
【図１１】
2017175823.tif 000013
【図１２】
2017175823.tif 000014
【図１３】
2017175823.tif 000015
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
複数の基地局からユーザ装置に送信対象のパケットを分割送信する分配型送信における分配元基地局として機能する基地局であって、
前記分配型送信における分配先基地局の無線環境情報を取得するフィードバック情報取得部と、
前記無線環境情報に従って前記分配型送信を制御する通信制御部と、
を有する基地局。
【請求項２】
前記通信制御部は、前記取得した無線環境情報に従って前記分配元基地局から前記分配先基地局に転送されるデータ量を制御する、請求項１記載の基地局。
【請求項３】
前記フィードバック情報取得部は、前記分配先基地局と前記ユーザ装置との間の無線通信の品質情報を前記分配先基地局から受信する、請求項１記載の基地局。
【請求項４】
前記フィードバック情報取得部は、前記分配先基地局と前記ユーザ装置との間の無線通信の品質情報を前記ユーザ装置から受信する、請求項１記載の基地局。
【請求項５】
前記分配先基地局のセルが非アクティブ状態であるとき、前記フィードバック情報取得部は、前記ユーザ装置から所定の品質値を受信する、請求項４記載の基地局。
【請求項６】
前記フィードバック情報取得部は、報告対象のセル数に応じた報告頻度で前記ユーザ装置から前記分配先基地局のセルの品質情報を受信する、請求項４記載の基地局。
【請求項７】
基地局との無線通信の通信品質を測定する測定部と、
前記測定した通信品質を前記基地局に報告する報告部と、
を有するユーザ装置であって、
前記測定部は、分配型送信において送信対象のパケットを前記ユーザ装置に送信する基地局との無線通信の通信品質を測定し、
前記報告部は、前記分配型送信における分配先基地局の通信品質を分配元基地局に報告するユーザ装置。
【請求項８】
前記分配先基地局のセルが非アクティブ状態であるとき、前記報告部は、前記分配元基地局に所定の品質値を送信する、請求項７記載のユーザ装置。
【請求項９】
前記報告部は、報告対象のセル数に応じた報告頻度で前記分配先基地局のセルの品質情報を前記分配元基地局に送信する、請求項７記載のユーザ装置。
【請求項１０】
複数の基地局からユーザ装置に送信対象のパケットを分割送信する分配型送信における分配元基地局により実行される送信制御方法であって、
前記分配型送信における分配先基地局の無線環境情報を取得するステップと、
前記無線環境情報に従って前記分配型送信を制御するステップと、
を有する方法。

【国際調査報告】
2017175823.tif 000016
2017175823.tif 000017
2017175823.tif 000018
2017175823.tif 000019